(57)【要約】【課題】住宅に設置された壁掛式便器に使用者が腰掛けたときに、床がたわみにくく、便器本体が前方に傾きにくくする。【解決手段】下端を床に固定された支持部材と、前記支持部材に対して後部を固定されて前記床から浮いた状態に支持された便器本体と、トイレ室において前記便器本体の左右側方に予め設けられている左右の側壁とは別途に作成され、前記左右の側壁に沿って又は前記左右の側壁に代えて配置される左壁部材及び右壁部材と、を備え、前記左壁部材及び前記右壁部材は、前記支持部材よりも前方に延在するように設けられる壁掛式便器。【選択図】図１
2014095243.tif 000002
【特許請求の範囲】
【請求項１】
下端を床に固定された支持部材と、
前記支持部材に対して後部を固定されて前記床から浮いた状態に支持された便器本体と、
下端がトイレ室の床に当接するように、前記トイレ室の左右の側壁に沿って又は当該左右の側壁の一部に代えて設けられ、前記支持部材に固定される左壁部材及び右壁部材と、
を備え、
前記左壁部材及び前記右壁部材は、その下端が前記支持部材よりも前方に延在するように設けられることを特徴とする壁掛式便器。
【請求項２】
前記左壁部材の床当接部位の前端と、前記右壁部材の床当接部位の前端と、を結ぶ直線が、前記便器本体の前端よりも前方に位置することを特徴とする壁掛式便器。
【請求項３】
前記左壁部材と前記右壁部材は、前記便器本体の下端よりも上方で前記支持部材に固定されている請求項１又は請求項２に記載の壁掛式便器。
【請求項４】
前記左壁部材及び前記右壁部材は、前記トイレ室の左右の側壁の壁中にそれぞれ配置されることを特徴とする請求項１〜請求項３の何れか１項に記載の壁掛式便器。
【発明の詳細な説明】
【技術分野】
【０００１】
本発明は、壁掛式便器に関する。
【背景技術】
【０００２】
腰掛便器を床から浮いた状態で設置する壁掛式便器が知られている（例えば、特許文献１）。この壁掛式便器は、金属フレーム材を組んで成る支持部材に対して固定されている。
【０００３】
支持部材は、床や壁に固定されており、一般的には、腰掛便器の背後に設けられるキャビネットの中や壁の中に設けられる。これにより、腰掛便器は、床から浮いた状態で壁に支持されることになる。
【先行技術文献】
【特許文献】
【０００４】
【特許文献１】特開２００３−１１９８７０号公報
【発明の概要】
【発明が解決しようとする課題】
【０００５】
上述した壁掛式便器は、床の強度が十分確保された公共施設においてはよく採用されているものの、一般の住宅での普及率は低い。
【０００６】
これは、一般の住宅では、公共施設のトイレ室に比べて床の強度が不足しているため、公共施設と同じ設計で壁掛け便器を設置すると、使用者が着座したときに床がたわんで壁掛け便器を支持するフレームが傾き、便器本体が前方に倒れるように傾いてしまう可能性があるためである。
【０００７】
本発明は、前記課題に鑑みてなされたものであり、住宅に設置された壁掛式便器に使用者が腰掛けたときに床がたわみにくく、便器本体が前方に傾きにくい壁掛式便器を提供することを目的とする。
【課題を解決するための手段】
【０００８】
本発明に係る壁掛式便器は、下端を床に固定された支持部材と、前記支持部材に対して後部を固定されて前記床から浮いた状態に支持された便器本体と、下端が前記トイレ室の床に当接するように、トイレ室の左右の側壁に沿って又は当該左右の側壁の一部に代えて設けられ、前記支持部材に固定される左壁部材及び右壁部材と、を備え、前記左壁部材及び前記右壁部材は、その下端が前記支持部材よりも前方に延在するように設けられる構成としてある。
【０００９】
なお、以上説明した壁掛式便器は、他の機器に組み込まれた状態で実施されたり他の方法とともに実施されたりする等の各種の態様を含むものである。
【発明の効果】
【００１０】
本発明によれば、住宅に設置された壁掛式便器に使用者が腰掛けたときに、床がたわみにくく、便器本体が前方に傾きにくくなる。
【図面の簡単な説明】
【００１１】
【図１】第１の実施形態に係る壁掛式便器の斜視図である。
【図２】第１の実施形態に係る壁掛式便器を側面から見て模式的に示した図である。
【図３】当接部と便器本体の前端との位置関係を説明する図である。
【図４】当接部と便器本体の前端との位置関係を説明する図である。
【図５】第１の実施形態に係る支持部材を拡大して示した斜視図である。
【図６】第２の実施形態に係る壁掛式便器の斜視図である。
【図７】第２の実施形態に係る支持部材を拡大して示した斜視図である。
【発明を実施するための形態】
【００１２】
以下、下記の順序に従って本発明を説明する。
（１）第１の実施形態：
（２）第２の実施形態：
（３）まとめ：
【００１３】
（１）第１の実施形態：
図１は、本実施形態に係る壁掛式便器１００の斜視図である。
【００１４】
壁掛式便器１００は、トイレ室Ｒの中に設けられており、便器本体１０、支持部材２０、左壁部材３０Ｌ及び右壁部材３０Ｒを備えている。
【００１５】
便器本体１０は、使用者が上面に腰掛けて使用するための便器である。便器本体１０は、その後部を支持部材２０に対して固定されており、支持部材２０によって床Ｆから浮いた状態に支持されている。
【００１６】
支持部材２０は、床および壁の少なくとも一方に対して固定されている。図１においては、支持部材２０は、その下部をトイレ室Ｒの床Ｆに対して固定されており、床Ｆから略垂直上方に延びるように立設されている。
【００１７】
左壁部材３０Ｌ及び右壁部材３０Ｒは、壁掛式便器１００の左右側方にそれぞれ設けられており、図１では、トイレ室Ｒの左右の側壁ＷＬ，ＷＲに沿ってそれぞれ設けられている。図１では、側壁ＷＬ，ＷＲは、壁掛式便器１００の左右側方に互いに平行に設けられている。
【００１８】
左壁部材３０Ｌ及び右壁部材３０Ｒは、支持部材２０の腕部２０Ｌ，２０Ｒに固定されている。腕部２０Ｌ，２０Ｒは、支持部材２０の上部から左右方向にそれぞれ延びるように設けられている。なお、以下では、左壁部材３０Ｌ及び右壁部材３０Ｒの腕部２０Ｒ，２０Ｌに対して固定された部位を、固定部３０Ｌ１，３０Ｒ１と呼ぶことにする。
【００１９】
左壁部材３０Ｌ及び右壁部材３０Ｒは、固定部３０Ｌ１，３０Ｒ１と、床の当接部３０Ｌ２，３０Ｒ２と、の間の距離を略一定に保つ機能を有している。当接部３０Ｌ２，３０Ｒ２とは、左壁部材３０Ｌ及び右壁部材３０Ｒがトイレ室Ｒの床Ｆと接する部位である。
【００２０】
ここで、図２を参照して、左壁部材３０Ｌ及び右壁部材３０Ｒの作用について説明する。図２は、壁掛式便器１００を側面から見て模式的に示した図であり、図２（ａ）は左側面、図２（ｂ）は右側面から見て示してある。
【００２１】
なお、同図には、便器本体１０に洗浄水を供給するためのロータンクが支持部材２０の上に載置され、このロータンクと支持部材２０とを覆い隠すキャビネットＣを設けた状態を示してある。
【００２２】
便器本体１０に使用者等が着座すると、便器本体１０には力Ｆ１が加わるため、支持部材２０には図２に示すモーメントＭ１が加わる（支持部材２０を前傾させる力が加わる）ことになる。
【００２３】
このとき、左壁部材３０Ｌ及び右壁部材３０Ｒが、上述したように、固定部３０Ｌ１，３０Ｒ１と当接部３０Ｌ２，３０Ｒ２との間の距離を略一定に保つ機能を有しているため、このモーメントＭ１による支持部材２０の前傾が抑制される。
【００２４】
すなわち、モーメントＭ１（応力Ｆ１）に応じたモーメントは、支持部材２０と床Ｆとを固定した部位には加わらず、左壁部材３０Ｌ及び右壁部材３０Ｒを介して、当接部３０Ｌ２，３０Ｒ２及び当接部３０Ｌ２，３０Ｒ２と接する床Ｆに加わることになる。
【００２５】
従って、支持部材２０の前傾が抑制され、支持部材２０が固定された部位における床Ｆのたわみが抑制される。その結果、便器本体１０の沈み込みが防止される。
【００２６】
次に、当接部３０Ｌ２，３０Ｒ２の前端３０Ｌ３，３０Ｒ３の位置について説明する。左壁部材３０Ｌ及び右壁部材３０Ｒは、図２に示すように、腕部２０Ｌ，２０Ｒや固定部３０Ｌ１，３０Ｒ１よりも前方に延在するように形成されており、前端３０Ｌ３，３０Ｒ３は、固定部３０Ｌ１，３０Ｒ１よりも前方に位置する。
【００２７】
図３，４は、前端３０Ｌ３，３０Ｒ３と便器本体１０の前端１０ａとの位置関係を説明する図である。図３は、固定部３０Ｌ１，３０Ｒ１と前端３０Ｌ３，３０Ｒ３の距離が左右で等しい（左壁部材３０Ｌと右壁部材３０Ｒの長さが等しい場合）場合を示しており、図４は、固定部３０Ｌ１，３０Ｒ１と前端３０Ｌ３，３０Ｒ３の距離が左右で異なる場合（左壁部材３０Ｌと右壁部材３０Ｒの長さが異なる場合）を示している。
【００２８】
図３，４に示すように、左壁部材３０Ｌ及び右壁部材３０Ｒの長さは、前端３０Ｌ３，３０Ｒ３を結ぶ直線が便器本体１０の前端１０ａよりも前方側に来るように設計されている。
【００２９】
このため、前端３０Ｌ３，３０Ｒ３には、使用者の着座等によって便器本体１０に応力が加えられたときに、この応力とつり合うモーメントや応力が発生することになる。
【００３０】
従って、図３，４のいずれの場合であっても、壁掛式便器１００は、仮に支持部材２０を床に固定していなくても、便器本体１０、支持部材２０、左壁部材３０Ｌ及び右壁部材３０Ｒの間を相互に固定するだけで自立可能になっている。
【００３１】
すなわち、便器本体１０に荷重がかかっても、当該荷重により壁掛式便器１００に加わる応力は、この応力に応じて前端３０Ｌ３，３０Ｒ３に発生する応力によって相殺されることとなり、支持部材２０と床Ｆの固定部位には、ほとんどモーメントや応力が加わらず、支持部材２０と床Ｆの固定部位近くの床Ｆのたわみを更に抑制することができる。
【００３２】
また、図３に示す左右で長さの等しい壁部材と図４に示す左右で長さの異なる壁部材を使い分けることにより、様々なレイアウトのトイレ室Ｒに本発明を適用可能となる。
【００３３】
すなわち、トイレ室Ｒの左右の側壁ＷＬ，ＷＲに壁部材を配置できない特段の事情がない場合は、図３と図４の何れのタイプの壁部材を用いても構わないが、トイレ室Ｒの左右の側壁ＷＬ，ＷＲの何れかの部位に何らかの事情で壁部材を配置できない箇所がある場合は、図４のタイプのように左右の壁部材の長さを調整して、当該箇所を避けつつ壁掛式便器１００が自立出来るように壁部材を設ける。
【００３４】
例えば、トイレ室Ｒの前側壁にトイレ室Ｒの入り口を設けてある場合は、壁部材は任意に長さとすることができるが、トイレ室Ｒの左側壁の前方側の部位にトイレ室Ｒの入り口を設けてある場合は、図４に示すように、左壁部材３０Ｌを短くしつつ右壁部材３０Ｒを長くして、前端３０Ｌ３，３０Ｒ３を結ぶ直線が前端１０ａよりも前方側に来るように設計すればよい。むろん、トイレ室Ｒの右側壁の前方側の部位にトイレ室Ｒの入り口を設けてある場合は、図４とは逆に、左壁部材３０Ｌを長くしつつ右壁部材３０Ｒを短くして、前端３０Ｌ３，３０Ｒ３を結ぶ直線が前端１０ａよりも前方側に来るように設計する。
【００３５】
このように、左右の壁部材の長さを適宜に調整することにより、様々なレイアウトのトイレ室Ｒに本発明を適用可能となる。
【００３６】
また、図１において、左壁部材３０Ｌ及び右壁部材３０Ｒは、略矩形の平板状の部材であり、便器本体１０の左右側方にそれぞれ設けられた一対の側壁ＷＬ，ＷＲに沿って配置されている。そして、左壁部材３０Ｌ及び右壁部材３０Ｒの下端は、床Ｆに沿う形状になっている。
【００３７】
このため、左壁部材３０Ｌ及び右壁部材３０Ｒの下端の全体が床Ｆに当接することになり、上述したモーメントや応力は、左壁部材３０Ｌ及び右壁部材３０Ｒと当接する床Ｆの全体で受け止めることになる。従って、床Ｆのひずみを、より効率的に抑制することが出来る。
【００３８】
また、図１，２に示すように、腕部２０Ｌ，２０Ｒは、床Ｆよりも高い位置に設けられており、少なくとも、便器本体１０の下端よりも上方に設けられている。
【００３９】
このため、左壁部材３０Ｌ及び右壁部材３０Ｒは、便器本体１０に加わる荷重の力点（支持部材２０と便器本体１０の固定部位）に近い高さで便器本体１０にかかるモーメントや応力を受けることができる。
【００４０】
すなわち、床Ｆに近い位置で便器本体１０に加わる荷重により発生するモーメントや応力を受ける場合に比べて、左壁部材３０Ｌ及び右壁部材３０Ｒに加わる力が小さくて済む。その結果、左壁部材３０Ｌ及び右壁部材３０Ｒの材料に要求される剛性が小さくなり、左壁部材３０Ｌ及び右壁部材３０Ｒを、例えば合板等で構成することができる。
【００４１】
なお、以上説明した実施形態においては、左壁部材３０Ｌ及び右壁部材３０Ｒをトイレ室Ｒの側壁ＷＬ，ＷＲの内側に沿って配置する場合を例に取り説明を行ったが、これに限るものではない。
【００４２】
例えば、左壁部材３０Ｌ及び右壁部材３０Ｒは、既設の側壁ＷＬ，ＷＲの一部を切断等により取り除いて側壁ＷＬ，ＷＲの一部に代えて設けてもよいし、既設の側壁ＷＬ，ＷＲの外側（トイレ室Ｒの壁の中等）に設けてもよい。
【００４３】
このようにすることで、トイレ室Ｒのスペースを圧迫すること無く床Ｆのたわみや便器本体１０の前傾を防止することが出来るし、特に後者の場合は、トイレ室Ｒの外観などを損なうこと無く床Ｆのたわみや便器本体１０の前傾を防止することが出来る。
【００４４】
次に、支持部材２０の構造について説明する。図５は支持部材２０を拡大して示した斜視図である。同図に示すように、第１の実施形態に係る壁掛便器１０の支持部材２０は、縦フレーム２１，２１と、連結部材２２，２２と、横フレーム２３と、を備える。
【００４５】
縦フレーム２１，２１は、後側壁ＢＷから離れた位置で床Ｆに固定される（図１参照）。縦フレーム２１，２１は、床Ｆから垂直上方に延在する、例えば角型材（中空または中実）である。縦フレーム２１，２１は、例えば、Ｌ型部材によって床Ｆに固定される。
【００４６】
本実施形態では、縦フレーム２１，２１は所定の間隔で平行に設けられている。縦フレーム２１，２１は、床Ｆにおいて第１連結部２４によって連結され、床Ｆから離れた位置で第２連結部２５によって連結されている。これにより、２本の縦フレーム２１，２１は、その間隔を維持したまま床Ｆに頑丈に固定される。
【００４７】
連結部材２２は、水平左右方向に延在する。すなわち、連結部材２２は、後側壁ＢＷに対して垂直な方向に延在して設けられる。本実施形態では、縦フレーム２１，２１に対応して連結部材２２，２２が設けられている。連結部材２２，２２の前端２２ａ，２２ａは縦フレーム２１，２１に固定され、連結部材２２，２２の後端２２ｂ、２２ｂには横フレーム２３が固定される。
【００４８】
横フレーム２３は水平前後方向に延在し、連結部材２２，２２の後端２２ｂ、２２ｂに横架された状態で固定されている。横フレーム２３は、溶接やボルトとナットを用いた締結等で連結部材２２，２２に固定されており、一対の縦フレーム２１，２１及び一対の連結部材２２，２２によって支持されている。
【００４９】
これにより、横フレーム２３は、床Ｆを上方から見た平面視で、水平方向であって且つ一対の左壁部材３０Ｌ及び右壁部材３０Ｒを結ぶ方向に延びる（図１参照）。横フレーム２３の両端部は、それぞれ左壁部材３０Ｌ及び右壁部材３０Ｒに対して固定される。
【００５０】
ただし、左壁部材３０Ｌ及び右壁部材３０Ｒの間隔は、施工先のトイレ室Ｒのサイズに応じて様々である。そこで、横フレーム２３は、水平方向に延在するフレーム本体２６と、フレーム本体２６の長手方向の両端部に取り付けられた一対のスライド部２７，２７とで構成されている。
【００５１】
フレーム本体２６は、一対の縦フレーム２１，２１に対して溶接やボルトとナットを用いた締結等で固定されている。スライド部２７，２７は、フレーム本体２６の左右端部に、水平方向にスライド自在に取り付けられている。
【００５２】
これにより、横フレーム２３は、スライド部２７，２７を左右にスライド移動させることで、その長さを適宜に伸縮可能になっており、左壁部材３０Ｌ及び右壁部材３０Ｒの間隔に応じて左右長さを変更可能になっている。
【００５３】
スライド部２７，２７の左右端部には、左壁部材３０Ｌ及び右壁部材３０Ｒに対する取付部２８，２８が設けられている。取付部２８，２８は、左壁部材３０Ｌ及び右壁部材３０Ｒに対して平行な板状に形成されている。取付部２８，２８は、スライド部２７，２７のスライドに伴い、水平方向にスライドする。取付部２８，２８は、左壁部材３０Ｌ及び右壁部材３０Ｒに対してボルト等を用いて固定される。
【００５４】
取付部２８，２８は、後端についてはスライド部２７，２７の後端と略一致し、前端についてはスライド部２７，２７よりも所定長だけ前方に張り出した状態で、スライド部２７，２７に固定されている。
【００５５】
この張り出した部位には、左壁部材３０Ｌ及び右壁部材３０Ｒへの取付構造としての穴２８ａ，２８ａが形成されている。これらの穴２８ａ，２８ａを介して、取付部２８，２８は、左壁部材３０Ｌ及び右壁部材３０Ｒに対して、ボルト等を用いて固定される。
【００５６】
このように、スライド部２７，２７が左壁部材３０Ｌ及び右壁部材３０Ｒの間を結ぶ方向にスライド自在であるため、左壁部材３０Ｌ及び右壁部材３０Ｒの間隔に応じてスライド部２７，２７をスライドさせて、横フレーム２３の長さを調整できる。
【００５７】
一方、縦フレーム２１，２１の前面には、便器本体１０が固定される。図１においては、縦フレーム２１，２１に２本のボルト２９，２９が取り付けられている。便器本体１０には不図示の孔が設けられている。この孔にボルト２９，２９を通してナットで固定することで、便器本体１０は、床Ｆから浮いた状態で支持される。
【００５８】
このとき、便器本体１０は、２本のボルト２９，２９及びナットで縦フレーム２１，２１に固定されるとともに、便器本体１０の後面の下部が第２連結部２５の便器受部Ｐに接触して、３点による支持によって固定される。
【００５９】
このように、便器本体１０が支持部材２０に対してしっかりと固定されているため、便器本体１０に加わる下向きの応力が、支持部材２０を介して、左壁部材３０Ｌ及び右壁部材３０Ｒによってしっかりと受け止められる。これにより、支持部材２０が固定されている床Ｆの変形を効果的に抑制することができる。
【００６０】
以上説明した第１の実施形態においては、支持部材２０の具体例として、図５に示す支持部材を採用して説明を行ったが、支持部材の形状や構造は様々に変形可能であり、例えば、以下に説明する第２の実施形態において説明する支持部材を用いることもできる。
【００６１】
（２）第２の実施形態：
図６は、第２の実施形態に係る壁掛式便器２００の斜視図であり、図７は、第２の実施形態に係る支持部材２２０を拡大して示した斜視図である。なお、支持部材以外の構成については、上述した第１の実施形態と同様であるため、以下では、同じ符号を付して説明を省略することにする。
【００６２】
図６には、支持部材２２０を、便器本体１０が取り付けられる正面側から見て示している。同図において、支持部材２２０は、左右一対の縦フレーム２２１，２２１と、左右一対の基部２２２，２２２と、横フレーム２２３と、を有する。
【００６３】
左右一対の基部２２２，２２２は、便器本体１０の後方の床Ｆに載置され、例えばボルトで床Ｆに固定される。左右一対の基部２２２，２２２は、左右一対の側壁ＷＬ，ＷＲの間で、これら側壁ＷＬ，ＷＲを結ぶ方向に並んで配置されている。
【００６４】
縦フレーム２２１，２２１は、床Ｆから鉛直方向に上方に延在し、その下部がそれぞれ基部２２２，２２２に対して溶接等により固定されている。これにより、基部２２２，２２２及び縦フレーム２２１，２２１は一体に形成され、縦フレーム２２１，２２１の前面部２２１ａ，２２１ａから基部２２２，２２２にかけてＬ字状になる。
【００６５】
また、縦フレーム２２１，２２１は所定の間隔で平行に設けられる。縦フレーム２２１，２２１は、床Ｆから離れた位置で第１連結部２２４と第２連結部２２５によって連結されている。これにより、２本の縦フレーム２２１，２２１は、その間隔を維持したまま床Ｆに頑丈に固定される。
【００６６】
横フレーム２２３は、鉛直方向に対して直交する水平方向に延在し、一対の縦フレーム２２１，２２１の上部に横架された状態で固定されている。横フレーム２２３は、一対の縦フレーム２２１，２２１のそれぞれに対して不図示のボルト等で固定されており、一対の縦フレーム２２１，２２１によって支持されている。
【００６７】
これにより、横フレーム２２３は、床Ｆを上方から見た平面視で、一対の縦フレーム２２１，２２１の真上の位置を、水平方向であって且つ一対の側壁ＷＬ，ＷＲを結ぶ方向に延びることになる。横フレーム２２３の両端部は、それぞれ側壁ＷＬ，ＷＲに対して固定される。
【００６８】
ただし、側壁ＷＬ，ＷＲの間隔は、施工先のトイレ室Ｒのサイズに応じて様々である。そこで、横フレーム２２３は、側壁ＷＬ，ＷＲに沿って配置される左壁部材３０Ｌ及び右壁部材３０Ｒの間隔に応じて長さを調整可能にするために、水平方向に延在するフレーム本体２２６と、フレーム本体２２６の長手方向の両端部に取り付けられた一対のスライド部２２７，２２７とを有する。
【００６９】
フレーム本体２２６は、一対の縦フレーム２２１，２２１に対して不図示のボルト等で固定されている。スライド部２２７，２２７は、フレーム本体２２６の左右端部に、水平方向にスライド自在に取り付けられている。
【００７０】
すなわち、横フレーム２２３は、スライド部２２７，２２７を左右にスライド移動させることにより、その長さを適宜に伸縮可能になっており、左壁部材３０Ｌ及び右壁部材３０Ｒの間隔に応じて左右長さを変更可能になっている。
【００７１】
スライド部２２７，２２７の左右端部には、左壁部材３０Ｌ及び右壁部材３０Ｒに対する取付部２２８，２２８が設けられている。取付部２２８，２２８は、左壁部材３０Ｌ及び右壁部材３０Ｒに対して平行な板状に形成されている。
【００７２】
取付部２２８，２２８は、前端についてはスライド部２２７，２２７の前端と略一致し、上端についてはスライド部２２７，２２７よりも所定長だけ上方に張り出した状態、下端についてはスライド部２２７，２２７よりも所定長だけ下方に張り出した状態で、スライド部２２７，２２７に固定されている。
【００７３】
これらの張り出した部位には、左壁部材３０Ｌ及び右壁部材３０Ｒへの取付構造としての穴２２８ａ，２２８ａが形成されている。これらの穴２２８ａ，２２８ａを介して、取付部２２８，２２８は、左壁部材３０Ｌ及び右壁部材３０Ｒに対して、ボルト等を用いて固定される。
【００７４】
取付部２２８，２２８は、スライド部２２７，２２７のスライドに伴い、水平方向にスライドする。取付部２２８，２２８は、左壁部材３０Ｌ及び右壁部材３０Ｒに対してボルト等を用いて固定される。
【００７５】
以上説明したように、スライド部２２７，２２７は、一対の左壁部材３０Ｌ及び右壁部材３０Ｒの間を結ぶ方向にスライド自在であるため、様々な左壁部材３０Ｌ及び右壁部材３０Ｒの間の距離に対応できる。すなわち、横フレーム２２３全体の長さは固定されておらず、左壁部材３０Ｌ及び右壁部材３０Ｒの間の距離に応じてスライド部２２７，２２７をスライドさせて、横フレーム２２３の長さを調整できる。
【００７６】
一方、縦フレーム２２１，２２１の前面には、便器本体１０が固定される。図４においては、縦フレーム２２１，２２１に２本のボルト２２９，２２９が取り付けられている。便器本体１０には不図示の孔が設けられている。この孔にボルト２２９，２２９を通してナットで固定することで、便器本体１０は、図６に示すように、床Ｆから浮いた状態で支持される。
【００７７】
このとき、便器本体１０は、２本のボルト２２９，２２９及びナットで縦フレーム２２１，２２１に固定されるとともに、便器本体１０の後面の下部が第１連結部２２４の便器受部Ｐに接触して、３点による支持によって固定される。
【００７８】
このように、第２の実施形態に係る支持部材２２０であっても、便器本体１０が支持部材２０に対してしっかりと固定されるため、便器本体１０に加わる下向きの力が、支持部材２０を介して、左壁部材３０Ｌ及び右壁部材３０Ｒによってしっかりと受け止められる。これにより、支持部材２０が固定されている床Ｆの変形を効果的に抑制することができる。
【００７９】
（３）まとめ：
以上説明したように、上述した実施形態に係る壁掛式便器１００（又は壁掛式便器２００）は、下端を床Ｆに固定された支持部材２０（又は支持部材２２０）と、下端がトイレ室Ｒの床Ｆに当接するように、トイレ室Ｒの左右の側壁ＷＬ，ＷＲに沿って又は当該左右の側壁ＷＬ，ＷＲの一部に代えて設けられ、支持部材２０（又は支持部材２２０）に固定される左壁部材３０Ｌ及び右壁部材３０Ｒと、を備え、左壁部材３０Ｌ及び右壁部材３０Ｒは、支持部材２０（又は支持部材２２０）よりも前方に延在するように設けられている。このため、住宅に設置された便器本体１０に使用者が腰掛けたときに、従来に比べて、床Ｆがたわみにくく、便器本体１０が前方に傾きにくくなる。
【００８０】
なお、本発明は上述した実施形態に限られず、上述した実施形態の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００８１】
１０…便器本体、１０ａ…前端、２０…支持部材、２０Ｌ…腕部、２０Ｒ…腕部、２１…縦フレーム、２２…連結部材、２２ａ…前端、２２ｂ…後端、２３…横フレーム、２４…第１連結部、２５…第２連結部、２６…フレーム本体、２７…スライド部、２８…取付部、２８ａ…穴、２９…ボルト、３０Ｌ…左壁部材、３０Ｌ１…固定部、３０Ｌ２…当接部、３０Ｌ３…前端、３０Ｒ…右壁部材、３０Ｒ１…固定部、３０Ｒ２…当接部、３０Ｒ３…前端、１００…壁掛式便器、２００…壁掛式便器、２２０…支持部材、２２１…縦フレーム、２２１ａ…前面部、２２２…基部、２２３…横フレーム、２２４…第１連結部、２２５…第２連結部、２２６…フレーム本体、２２７…スライド部、２２８…取付部、２２８ａ…穴、２２９…ボルト、ＢＷ…後側壁、Ｆ…床、Ｐ…便器受部、Ｒ…トイレ室、ＷＬ…側壁、ＷＲ…側壁
【図１】
2014095243.tif 000003
【図２】
2014095243.tif 000004
【図３】
2014095243.tif 000005
【図４】
2014095243.tif 000006
【図５】
2014095243.tif 000007
【図６】
2014095243.tif 000008
【図７】
2014095243.tif 000009